(57)【要約】【課題】  アスベスト処理は除去を前提とした工事が主流となっており、アスベストを剥離回収し袋詰めあるいは固化して安定型産廃物として産廃場で管理する方法が行われていたが、この方法は二次災害発生の可能性がある上、不法投棄などの問題も起こっていた。また、これらの処理方法はアスベストを解体、集麈、粉砕、固化するために極めて大がかりな設備やコストが掛かるといった問題があった。【解決手段】  本発明は、構造物の既設老巧化アスベストの表面及び内部層にアスベスト処理剤を障害なく安全に撒布し浸潤させ、強度と密着度の高い半永久的構造物として再利用することができる。【選択図】図１
2007315152.tif 000002
【特許請求の範囲】
【請求項１】
アスベスト処理剤をアスベストの内層部に注入装置により封じ込める樹脂含浸工法と、当該アスベストの表面に当該アスベスト処理剤を吹きつけて封じ込める表面固化工法とを有することを特徴とするアスベスト封じ込め注入工法。
【請求項２】
前記注入装置の注入針の先端部に取り付けられている開口部が前記アスベストの内層部に備えられて前記アスベスト処理剤を吹き付けることを特徴とするアスベスト封じ込め注入装置。
【請求項３】
前記アスベスト処理剤は、前記アスベストの内層部に注入浸透されて当該アスベストの耐火性、防音性、絶縁性、粘着性を保持していることを特徴とする請求項２のアスベスト封じ込め注入装置。
【発明の詳細な説明】
【技術分野】
【０００１】  本発明は、構造物の既設老巧化アスベストの表面及び内部の隅々にアスベスト処理剤を障害なく安全に撒布し浸潤させ、強度と密着度の高い半永久的構造物として再利用するアスベスト封じ込め注入工法及び注入装置に関する。
【背景技術】
【０００２】  近年、アスベストの人体への害は深刻な社会問題になっている。老巧化したアスベストは大気中に飛散しそれが人体特に呼吸器に吸収されじん肺や肺ガンの発生原因となり極めて危険であった。従って、その新規使用は禁止され解体や被覆に関しては法規により厳しく規定され厚生労働省例題２１号の労働安全衛生法に基づき「石綿障害予防規則」（平成１７年２月２４日制定、同年７月１日施工）するに至っている。【０００３】  従来のアスベスト処理方法は、構造物の既設老巧化アスベストを解体し除去する工事が主流と成り、袋詰めあるいは固化して安定管理型産廃場で管理する方法がとられたが、依然として人体や環境の問題、産廃の問題、不法投棄等の問題が起こっており将来的に二次災害が起こることが懸念されている。【０００４】  アスベストの処理方法の１つとして、建物における耐火材、断熱材、防音材等として壁面部分、天井部分に使用されるものとして知られているが、建物の解体や、吹付アスベストを撤去する工事は、アスベストが周辺にダスト状に拡散し飛散するため、上記壁面部分または天井部分を含む相当範囲を事前に包囲した環境下で作業がなされていた。このような環境下におけるアスベストの除去方法としては、予め飛散防止処理剤等を吹き付けてアスベストを湿潤化し、これを作業者が器具等を使用して壁面部分、天井部分から剥離してこれを固化する方法で処理したうえ外部に搬出するものであった。【０００５】  他の方法としてアスベストの表面に網を敷き、この上に防水性の上層樹脂を塗布して網に浸透させ、これにより既設のアスベスト材を封じ込め合わせてアスベスト従来の効能である防水性及び強度を向上させたアスベスト処理方法である。【０００６】  いずれにしても、処理作業の危険性、処理時間の問題、経済的負担、アスベスト処理後の公害廃棄物の問題と二次的災害は依然として解決するに至っていない。
【特許文献１】特開２００２−２５７３２０号公報
【特許文献２】特開平６−４９３９１公報
【発明の開示】
【発明が解決しようとする課題】
【０００７】  解決しようとする問題点について、アスベスト処理は除去を前提とした工事が主流となっており、袋詰めあるいは固化して安定型産廃物として産廃場で管理する方法が行われている。しかし、この方法は二次災害発生の可能性がある上、不法投棄などの問題も起こっていた。更に、これらの処理方法はアスベストを解体、集塵、粉砕、固化するために極めて大がかりな設備、及びコストがかかるといった問題があった。【０００８】  現在主なアスベスト処理方法として２種類あり、１つは解体により除去する方法で、アスベストを完全密封式の空間の中で解体すると同時に集塵装置に吸収して、安全に廃棄処理する方法である。【０００９】  さらに解体処理物は、水溶性又は有機溶剤と混合粉砕し、凝固剤又は可塑剤により固化させて、飛散しない産業廃棄物に変換して廃棄する方法があるが、この処理方法は、アスベストを解体、集塵、粉砕、溶解、固化するために極めて大掛かりな設備、及び労力とコストを要する。【００１０】  他の方法は、補強密封して再利用する方法である。これには凝結飛散防止のための樹脂含浸方法と樹脂層による封じ込め方法がある。これに関しては従来研究されているが、未だ完全な包理再開使用の方法が確立していないのが現状であった。【００１１】  そこで、本発明は、上述の問題を解決し、極めて安全に密封封印し半永久的にアスベストの本来の効能を維持しつつ安全にアスベスト処理を提供することを目的とするものである。
【課題を解決するための手段】
【００１２】  上記目的を達成するため、アスベスト処理剤をアスベストの内層部に注入装置により封じ込める樹脂含浸工法と、当該アスベストの表面に当該アスベスト処理剤を吹きつけて封じ込める表面固化工法とを有することを特徴とする。【００１３】  前記注入装置の注入針の先端部に取り付けられている開口部が前記アスベストの内層部に備えられて前記アスベスト処理剤を吹き付けることを特徴とする。【００１４】  前記アスベスト処理剤は、前記アスベストの内層部に注入浸透されて耐久性及び強度を増すと同時に当該アスベストの耐火性、防音性、絶縁性、粘着性を保持していることを特徴とする。
【実施例】以下、本発明の実施例を図面に基づき詳細に説明する。【００１５】  本発明のアスベスト封じ込め注入工法は２方法で行われ、アスベストを樹脂含浸工法と表面固化工法により極めて安全かつ信頼性の高い無害の構造物に変換するものである。【００１６】  図３（ａ）より、この封じ込め方法は、構造物の老巧化アスベスト９施工空間をアスベスト飛散防止のため、ビニールシート８等で廻りを密封して外部に飛散しないようにし又、床においては０．２ｍ／ｍの厚めのシートにて養生して完全密封する。【００１７】  予めこれ以上のアスベストが飛散するのを防止する為と、作業者７がアスベストを吸引しないようにするためである。【００１８】  次に、表面固化工法より前記老巧化アスベスト９表面にアスベスト処理剤をアスベスト表面状況に応じて希釈剤５：６の薄めの液を作り全体にまんべんなく均一に塗布する。注入装置１０の注入針３を差込だ時にアスベストダストが飛散しない様にする為である。老巧化アスベスト９の表面は凸凹が有るので角度変えて斑無く塗布する。
アスベスト処理剤として水系特殊ポリマー樹脂等がある。【００１９】  次いで、樹脂含浸工法により老巧化アスベスト９の内部層にアスベスト処理剤を耐圧パイプ６で圧送する為のコンプレッサーと接続部４で接続された注入装置１０の注入本体部１がある。【００２０】  図１及び図２より注入装置１０の注入本体部１に対角線上に長手方向に接続されている中空状の注入枝部２に長手方向の端部に設置した先端部図３（ｂ）に開口部３０を持つ注入針３を設けその開口部３０からアスベスト処理剤を撒布し浸潤させる。【００２１】  この場合の希釈剤５：３のやや濃い目の液を作り、特に、構造物と老巧化アスベスト９との接着面や躯対との接着部は劣化が生じる為、アスベスト処理剤を満遍なく注入し老巧化アスベスト９のダスト繊維質を包埋して繊維質間を耐火性、防音性、絶縁性を保持して強固に結合させる。よって、老巧化アスベスト９の接着強度を取り戻しアスベスト自身のふくらみやふわふわを保持しながら垂れ下がり等を防止する。【００２２】  次に、薄めの表面固化した前記老巧化アスベスト９に特殊ローラーで転圧することによりアスベスト９自体を固めて強化する。また、配管等の隙間はコテ等を使用しながら施工する。【００２３】  最終に表面の固化を強化する為、アスベスト処理剤の希釈剤５：１の濃い目の液を作り濃いめ（原液に近い程度のもの）を塗布する。老巧化アスベスト９を完全に密封封印する為である。
【発明の効果】
【００２４】  本アスベスト封じ込め注入工法及び注入装置は、柔軟でかつ接着性に優れたアスベスト処理剤を利用し、アスベストのダスト繊維質を包理して繊維質間を強固に結合させるため、作業時のアスベストのダスト飛散を可及的に抑制することができ、剛性の高い樹脂の被覆により強靭な複合材料に変質させるため、有害なアスベストを弊害なく、強度と密閉度に高い半永久的構造物として再利用する画期的な工法である。
【図面の簡単な説明】
【００２５】
【図１】（ａ）はアスベスト封じ込め注入装置の上面図である。（ｂ）はアスベスト封じ込め注入装置の正面図である。
【図２】（ａ）はアスベスト封じ込め注入装置の下面図である。（ｂ）はアスベスト封じ込め注入装置の右側面図である
【図３】（ａ）はアスベスト封じ込め注入装置による除去作業を示す図である。（ｂ）は〔図１〕（ｂ）５の注入針の先端部の拡大図である。
【符号の説明】
【００２６】  １  注入本体部
２  注入枝部
３  注入針
４  接続部
５  注入針の先端部
６  耐圧パイプ
７  作業者
８  ビニールシート
９  老巧化アスベスト
１０  注入装置
３０  開口部
【図１】
2007315152.tif 000003
【図２】
2007315152.tif 000004
【図３】
2007315152.tif 000005